(57)【特許請求の範囲】
【請求項１】
高所に架設された電線を切断する遠隔操作用カッターであって、
上下に延び、下端に連結される遠隔操作棒と一体的に軸中心に回転する軸体と、
前記軸体上に軸方向に並設され、少なくとも一方は、前記遠隔操作棒の軸回転に従動して前記軸体上を昇降する２つの連結体と、
前記２つの連結体に、一対の柄部の何れかが夫々揺動可能に連結されたペンチ型のカッター部と、
前記カッター部の上刃及び下刃の交差部に対して、高さ及び迫り出し幅が略一致するように、且つ、高さ方向及び迫り出し方向に直交する側面方向に所定間隔をあけて、前記カッター部と一体動可能に設けられた電線当接部とを備えた、
ことを特徴とする遠隔操作用カッター。
【請求項２】
前記側面方向からの側面視において、前記上刃の刃先と連続するように前記カッター部の迫り出し側へ延び、前記カッター部と一体動可能に設けられた上側ガイド部を備えたことを特徴とする請求項１に記載の遠隔操作用カッター。
【請求項３】
前記カッター部と一体動可能に、前記電線当接部を介して前記上側ガイド部の下方に対向配置され、前記電線を収容可能な電線収容域を形成する下側ガイド部を備え、
前記上側ガイド部及び前記下側ガイド部の少なくとも一方に、前記電線収容域の外方への前記電線の移動を遮ることのできる遮障部が設けられたことを特徴とする請求項２に記載の遠隔操作用カッター。
【請求項４】
前記軸体はネジ溝が形成されたネジ軸であり、
前記連結体の一方は、前記ネジ軸上に螺進退可能に設けられたナット体であり、
前記連結体の他方は、軸方向の移動が規制された遊嵌状態で前記ネジ軸上に取り付けられていることを特徴とする請求項１から３の何れか１項に記載の遠隔操作用カッター。
【発明の詳細な説明】
【技術分野】
【０００１】
本発明は、高所に設置された電線等を遠隔操作棒を用いた操作により切断する遠隔操作用カッターに関するものである。
【背景技術】
【０００２】
放送通信設備や電気通信設備等において、架設電線の架け替え工事を行う際の作業は、高所作業車上又は電柱上にて行われることが多い。
【０００３】
この場合、作業時における電線等の高電圧箇所との干渉を防止し、感電から身を護るために、絶縁部材で構成された遠隔操作棒の先端に工具が組付けられて用いられている。このような従来の遠隔操作に用いられる工具のうち、遠隔操作式圧縮ペンチを図９に示す。
【０００４】
この図９に示した遠隔操作式圧縮ペンチ１００では、遠隔操作棒１０２の上端側にネジ軸１０４が延設されている。このネジ軸１０４には、上側にネジ溝１０４ａが形成され、下側にはネジ溝１０４ａとは逆方向のネジ溝１０４ｂが形成されている。そして、これら２種類のネジ溝１０４ａ、１０４ｂ部分には、それぞれナット体１０４ｃ、１０４ｄが螺進退可能に取り付けられている。また、これら上下２つのナット体１０４ｃ、１０４ｄのそれぞれにペンチ本体１０６の一対の柄部１０８の先端が回動可能に連結されている。このような構造により、遠隔操作棒１０２の回転部１０２ａを軸回転させると、２つのナット体１０４ｃ、１０４ｄが相互に遠近動し、ペンチ本体１０６が開閉される。これにより、電線等に直接触れることなく遠隔位置から挟持操作を行うことが可能である。このような構成については、特許文献１に開示例がある。
【０００５】
ここで、架設電線の架け替え工事において電線を切断する必要がある場合は、上述の図９に示した遠隔操作式圧縮ペンチのペンチ本体部分を、ペンチ型のカッターに置き換えることにより、切断作業にも対応することが可能である。
【先行技術文献】
【特許文献】
【０００６】
【特許文献１】特開２０００−１６６０３８号公報
【発明の概要】
【発明が解決しようとする課題】
【０００７】
しかしながら、不自然な体勢で行う電柱上の作業は危険を伴い、作業中の墜落、転落等の重大事故が発生する場合がある。このため、作業者の安全を確保するために、できる限り足場の安定した高所作業車を使用することが望ましい。
【０００８】
ところが、電線の架設場所には、山間部、宅地急傾斜地、農耕地や道路狭隘箇所等があり、これらの場所では、高所作業車の進入が困難となるため、やむを得ず電柱に登って作業をしなければならない場合がある。
【０００９】
一方、危険な電柱上の作業を避けるため、遠隔操作棒を伸ばして、地上から作業を行う工法が考えられるが、例えば、図９に示したような遠隔操作式圧縮ペンチ１００の場合、回転部と支持部とからなる２本の遠隔棒で構成されているため、長くなるほど全体的に高重量となってしまう。
【００１０】
すなわち、電柱上や高所作業車上から作業を行うときのように、架設電線までの距離が
比較的短い場合は、作業にそれほど支障を生じる重さではなくても、地上２ｍ以上の高所に対して、地上からアクセス可能となるくらいに遠隔操作棒を長くすると、重量が大幅に増大してしまい、単独作業も困難な場合が生じる。
【００１１】
遠隔操作においては、工具の重量をできるだけ小さく抑えることが精確かつ安全な作業を可能とし、さらに、精確な作業を行うことが作業時間の短縮化にも繋がるので作業者の負担を軽減することができ、延いては、事故の防止に貢献することを可能とする。
【００１２】
そこで、上記課題を解決するために、本発明では、重量の増大を抑える簡易な構成により、高所の電線に対する作業を安定させ、作業効率の向上を図ることのできる遠隔操作用カッターを提供することを目的とする。
【課題を解決するための手段】
【００１３】
上記目的を達成するために、本発明の遠隔操作用カッターは、高所に架設された電線を切断する遠隔操作用カッターであって、上下に延び、下端に連結される遠隔操作棒と一体的に軸中心に回転する軸体と、軸体上に軸方向に並設され、少なくとも一方は、遠隔操作棒の軸回転に従動して軸体上を昇降する２つの連結体と、２つの連結体に、一対の柄部の何れかが夫々揺動可能に連結されたペンチ型のカッター部と、カッター部の上刃及び下刃の交差部に対して、高さ及び迫り出し幅が略一致するように、且つ、高さ方向及び迫り出し方向に直交する側面方向に所定間隔をあけて、カッター部と一体動可能に設けられた電線当接部とを備えたことを特徴とする。
【００１４】
また、本発明の遠隔操作用カッターは、上記構成に加えて、側面方向からの側面視において、上刃の刃先と連続するようにカッター部の迫り出し側へ延び、カッター部と一体動可能に設けられた上側ガイド部を備えたことを特徴とする。
【００１５】
また、本発明の遠隔操作用カッターは、上記構成に加えて、カッター部と一体動可能に、電線当接部を介して上側ガイド部の下方に対向配置され、電線を収容可能な電線収容域を形成する下側ガイド部を備え、上側ガイド部及び下側ガイド部の少なくとも一方に、電線収容域の外方への電線の移動を遮ることのできる遮障部が設けられたことを特徴とする。
【００１６】
また、本発明の遠隔操作用カッターは、上記構成に加えて、軸体はネジ溝が形成されたネジ軸であり、連結体の一方は、ネジ軸上に螺進退可能に設けられたナット体であり、連結体の他方は、軸方向の移動が規制された遊嵌状態でネジ軸上に取り付けられていることを特徴とする。
【発明の効果】
【００１７】
以上のように、本発明によれば、電線がカッター部の上刃及び下刃の交差部に当接状態となると、この交差部と高さ及び迫り出し幅が略一致する電線当接部とも同時に当接状態となる。また、切断が進むにつれて、交差部の高さ位置及び迫り出し位置が変化しても、電線当接部の高さ及び迫り出し幅も同様に変化する。
【００１８】
これにより、遠隔操作用カッターは、切断時に軸直角方向で複数箇所に当接状態となるので、遠隔操作棒の回転と供回りすることを防止でき、良好な状態で安定して切断作業を行うことが可能となる。
【００１９】
また、本発明によれば、迫り出し方向へ延びた上側ガイド部に沿って電線当接部側へ導かれる電線がスムーズに上刃上に移ることができる。また、上側ガイド部と上刃とは一体に設けられているので、カッター部の開度が変化しても上側ガイド部と上刃との間の連続
性は失われない。
【００２０】
これにより、カッター部の開度が電線の通過可能な何れの状態にあっても、電線は確実且つ容易に電線当接部側へ導かれるので、作業効率が向上する。
【００２１】
また、本発明によれば、上側ガイド部に対向して下側ガイド部が配置されているので、電線を電線収容域内に入れる際、上側ガイド部と電線とが離間した場合であっても、下側ガイド部で受け止められる。
【００２２】
これにより、遠隔操作により遠隔操作用カッターの上下位置に変動が生じた場合であっても、電線収容域内に入った電線は、上側ガイド部又は下側ガイド部の何れかの間に安定して保持されるので、さらに操作性が向上する。
【００２３】
また、本発明によれば、ネジ軸とナット体とからなる送りねじ機構によりカッター部の一方側の柄部が開閉（昇降）動作を行う。
【００２４】
これにより、ネジ軸上を１つのナット体だけが摺動するので、摺動摩擦（軸回転時の回転摩擦）を小さく抑えることができ、切断操作における作業者の負担を軽減することが可能となる。
【図面の簡単な説明】
【００２５】
【図１】本発明の第１の実施の形態に係る遠隔操作用カッターの全体斜視図である。
【図２】閉状態における図１の遠隔操作用カッターの全体斜視図である。
【図３】電線を収容する際の、図１の遠隔操作用カッターのフック部周辺を示した側面図である。
【図４】図１の遠隔操作用カッターを遠隔操作棒により軸回転操作する際の様子を示した平面図である。
【図５】図１の遠隔操作用カッターによる切断作業の前後を示しており、（ａ）は電線切断前を示し、また、（ｂ）は電線切断後を示した側面図である。
【図６】本発明の第２の実施の形態に係る遠隔操作用カッターの全体斜視図である。
【図７】本発明の第３の実施の形態に係る遠隔操作用カッターのロック部周辺を示した斜視図である。
【図８】図７のロック部周辺の様子を示し、（ａ）は電線が電線収容域の内側へ押し込まれるときの状態を、（ｂ）は電線が電線収容域の内側から外側へ出て行くときの状態を示した側方拡大図である。
【図９】従来の遠隔操作式圧縮ペンチを示した図である。
【発明を実施するための形態】
【００２６】
（第１の実施の形態）
図１に本実施の形態に係る遠隔操作用カッターの全体斜視図を示す。また、図２には図１の遠隔操作用カッターの閉状態における全体斜視図を示す。
【００２７】
この遠隔操作用カッター１は、下端に遠隔操作棒２（図中点線で表した部分。）を接続することのできる接続部３を有している。
【００２８】
そして、この接続部３の上方には、外周にネジ溝が形成されたネジ軸４（軸体）が延設されている。また、この接続部３は遠隔操作棒２に対して固定されるので、軸回転操作される遠隔操作棒２と接続部３及びネジ軸４とは一体的に軸回転する。
【００２９】
このネジ軸４上にはナット体６が螺進退可能に取り付けられている。また、ナット体６
は後述する柄部８ｆに枢支されており供回りが規制されている。これにより、遠隔操作棒２を軸回転させることにより、ネジ軸４に沿ってナット体６が昇降する。
【００３０】
本実施の形態における遠隔操作用カッター１では、ペンチ型のカッター部８が備えられ、このカッター部８を構成する上刃側半体８ｃ及び下刃側半体８ｄのうち、下刃側半体８ｄの柄部８ｆが、ナット体６（連結体）に対して回動可能に連結されている。
【００３１】
また、上刃側半体８ｃの柄部８ｅ（図２に図示。）は、ネジ軸４と接続部３との間に設けられている連結部７に対して回動可能に連結されている。この連結部７は、ナット体６のようにネジ軸４のネジ溝に対して螺合状態とはなっておらず、軸方向の動きを規制された遊嵌状態で設けられており、遠隔操作棒２を軸回転させても一体的に回転せず、同じ高さを保持するように配置されている。
【００３２】
このため、遠隔操作棒２を軸回転させると、カッター部８の上方の柄部８ｆのみが昇降してカッター部８が開閉する。
【００３３】
このカッター部８の水平方向両脇には、フック部１０が設けられている。これら両脇のフック部１０とカッター部８とは、略水平に延びるスペーサ１４ａを介して、それぞれ水平方向に所定の間隔を保持して配置されている。このスペーサ１４ａは、カッター部８のうち、上刃側半体８ｃ側に取り付けられてるので、ナット体６が昇降運動を行うとき、フック部１０は上刃側半体８ｃと共に一体的に動く。
【００３４】
次に、このフック部１０の形状について説明する。
【００３５】
フック部１０には、カッター部８の上刃８ａ及び下刃８ｂが突き出す方向、すなわち、ナット体６が下降する際に刃側が迫り出す方向である矢印３４の向きに開口した、略Ｕ字状の切欠き１１が形成されている。このＵ字状の切欠き１１は、電線をカッター部８へ導く際のガイドとなり、電線を収容する電線収容域でもある。
【００３６】
図３は、図２の矢印３４で示すカッター部８の迫り出し方向と、矢印３２で示すネジ軸４の延びる長手方向とに共に垂直となる側面方向から見た図、言い換えれば、切断される電線の延設される方向から見た側面図である。
【００３７】
この図３に示されているように、上刃側半体８ｃにスペーサ１４ａ（図２、図４に図示。）を介して一体的に取り付けられるフック部１０は、上側ガイド部１０ｂの下側の湾曲ラインと、上刃８ａの刃先とが側面視において連続するように位置合わせされている。
【００３８】
これにより、矢印３４の向きに突き出た上側ガイド部１０ｂの先端に電線３０を引っ掛けると、その下側の湾曲ラインに沿って摺接移動させ、電線３０を切欠き１１の奥側へ導くことができる。そして、電線３０は、図３の側面視において、この湾曲ラインと滑らかな傾斜で連続している上刃８ａの刃先に沿ってカッター部８の上刃８ａと下刃８ｂとの間へ収まる。
【００３９】
この上側ガイド部１０ｂと下側ガイド部１０ｃとは、Ｕ字状に連続して電線当接部１０ａを形成している。この電線当接部１０ａは、図３の側面視にて明らかなように、カッター部８の刃部を構成する上刃８ａ及び下刃８ｂとが交差する交差部８ｇに対して、高さ方向及び迫り出し方向（矢印３４）に対する位置が略一致するように形成されているので、刃部に電線３０が収まった際、電線当接部１０ａに対しても電線３０の側面が当接状態となる。
【００４０】
続いて、フック部１０の切欠き１１の開口付近に設けられたロック部１２について説明
する。本実施の形態における遠隔操作用カッター１では、フック部１０を形成する下側ガイド部１０ｃに対してロック部１２が揺動可能に取り付けられている。ここで、このロック部１２は、切欠き１１の内側方向にのみ揺動可能となるように取り付けられており、外側方向には付勢が加えられている。
【００４１】
図３には電線３０がロック部１２を通過する様子が示されている。この図３に示されるように、電線３０は、上側ガイド部１０ｂの内側の湾曲ラインに沿って切欠き１１の内側へ滑りながら移動する。このとき、下側ガイド部１０ｃの切欠き１１の開口付近に設けられたロック部１２は内側へ倒れ、電線３０の内側への移動を許容する。そして、ロック部１２は外側へ向けて付勢されているので、電線３０が通過した後に元の位置に戻る。このようにして、切欠き１１内に収まった電線３０は、上刃側半体８ｃと下刃側半体８ｄ（図１を参照）とが交差している交差部８ｇの位置で落ち着く。ロック部１２は、付勢に抗して電線３０を外側から押圧させるようにして切欠き１１内に導くことは可能であるが、一旦切欠き１１内に収まった後は、電線３０の外方への移動を規制するようにロックする。
【００４２】
このような構成のロック部１２は、カッター部８の両脇に設けられたフック部１０のそれぞれに取り付けられているので、カッター部８の刃部（上刃８ａ及び下刃８ｂ）内に電線３０が収まったとき、両側のフック部１０では、それぞれ、電線当接部１０ａとロック部１２との間に電線３０が安定して保持される。以降、この状態を電線のセット状態と呼ぶことにする。
【００４３】
以上のように構成された遠隔操作用カッター１に対して電線３０がセット状態にあるとき、遠隔操作棒２を軸回転させると、接続部３と共にネジ軸４が軸回転する。
【００４４】
この軸回転方向が、ナット体６の下降方向であれば、カッター部８の上側の柄部８ｆがナット体６と共に下降する（図２のナット体６と図１のナット体６を参照。）。
【００４５】
ここで、本実施の形態における遠隔操作用カッター１では、支持及び軸回転による遠隔操作が１本の遠隔操作棒２により行われる。このため、遠隔操作棒２を軸回転する際、電線３０がセット状態になければ、動きを妨げるものは何もないので、上端に連結された遠隔操作用カッター１は、遠隔操作棒２に対して供回りする。しかし、上述のように、フック部１０に電線３０がセット状態にあるとき、電線当接部１０ａとロック部１２と交差部８ｇとにより安定して姿勢が保持されているので、遠隔操作用カッター１の供回りは生じない。
【００４６】
このときの上方から見た様子を図４に示す。図４は、フック部１０に電線３０がセットされた状態における遠隔操作用カッター１の上方から見下ろした平面図である。カッター部８の上刃側半体８ｃと下刃側半体８ｄとの間に電線がくわえ込まれた状態となっていると共に、その水平方向の両脇では、フック部１０の切欠き１１内に電線３０が収まっている。この図４には遠隔操作棒２を軸回転させたときの遠隔操作用カッター１の外形を二点鎖線により示している。この図４から判るように、紙面上で反時計回りとなる矢印３８の向きに遠隔操作棒２を軸回転操作した際、それに伴って、遠隔操作用カッター１も回転しようとする。しかし、フック部１０に収まった電線３０はロック部１２によりロックされていると共に、電線当接部１０ａ側に当接状態となっている。このため、図４では、位置Ｃにあるロック部１２が電線３０の外方への移動を遮り、また、位置Ｂでは電線当接部１０ａ（図３を参照）が電線３０と当接状態にある。このように、遠隔操作棒２の軸回転に対して、遠隔操作用カッター１も供回りしようとするが、ロック部１２及び電線当接部１０ａにより阻止され、やや傾くものの、ほぼ元の姿勢を保っている。したがって、カッター部８に収まった電線３０も上刃８ａと下刃８ｂとの間から外れることがないので、この状態でカッター部８は安定して閉状態（切断状態）に移行することが可能となる。
【００４７】
本実施の形態では、図４に示されるように、カッター部８の位置に対して両側のフック部１０が非対称な距離に配置されている。すなわち、スペーサ１４ａはスペーサ１４ｂよりも長くなるように設定されている。そして、ネジ軸４上を移動するナット体６は、スペーサ１４ａが設けられている側（紙面下側）からカッター部８に連結されている。このため、矢印３８の方向に遠隔操作棒２を軸回転させたとき、図３で示したカッター部８の上刃８ａ及び下刃８ｂの交差部８ｇには、電線３０に対して押し付けられる方向に回転力が伝わる。このため、交差部８ｇ側に電線３０を押圧させた状態で安定させることが可能となる。
【００４８】
続いて、図１に示したフック部１０の切欠き１１の周縁のうち、上側ガイド部１０ｂが電線当接部１０ａに繋がる付近に形成された電線退避部１０ｄについて、図５を用いて説明する。
【００４９】
図５は、電線３０がカッター部８の交差部８ｇ側にセット状態となった後、切断されるまでの状態を示しており、（ａ）は電線切断前、（ｂ）は電線切断時の状態を示している。遠隔操作棒２を軸回転させたとき、図４の平面図を用いて説明したように、電線３０にカッター部８の交差部８ｇが押し付けられると共に、ネジ軸４上をナット体６が下降する。そして、徐々に上刃８ａと下刃８ｂとの間隔が狭くなり、ついには切断される。このとき、図５（ｂ）に示したように、電線３０の上半分側の領域は、電線退避部１０ｄ内に収まる。
【００５０】
すなわち、下刃８ｂはフック部１０とは独立に移動することができるので、電線３０の切断動作が進むと、切り込まれた電線３０の下方の一部を、下刃８ｂの刃先よりも下方側へ逃がすことが可能である。これに比べて、上刃８ａはフック部１０と一体的に固定されている。しかも、上側ガイド部１０ｂの内側の湾曲ラインと上刃８ａの刃先とは、側面視にて滑らかに連続するように接近して配置されている。このため、切り込まれて上刃８ａの刃先よりも上側に持ち上がった電線３０の上側部分は、上側ガイド部１０ｂの内側の湾曲ラインと干渉してしまう。
【００５１】
そこで、本発明の実施の形態では、この切り込まれた電線３０の上側部分を、上側ガイド部１０ｂと干渉させないように逃がすために、電線退避部１０ｄが形成されている。ここでは、カッター部８が交差部８ｇ周辺で電線３０に押し付けられて安定し、この位置で切断されるので、この交差部８ｇの直上に電線退避部１０ｄが形成されている。
【００５２】
尚、本実施の形態では、２つのフック部材がそれぞれ板状部材で構成された例を示したが、板状部材でなくても構わない。
【００５３】
また、本実施の形態では、カッター部８の両側にフック部１０が設けられた構成を例として示したが、少なくとも、カッター部８が閉じる方向に遠隔操作棒２を軸回転させるときに、電線当接部１０ａが電線に対して押圧状態となる側にのみ設けられていれば、供回りを防止することが可能である。
【００５４】
また、本実施の形態では、電線当接部１０ａに対して上側ガイド部１０ｂ及び下側ガイド部１０ｃが連続的に形成され、湾曲Ｕ字状の切欠き１１が形成された構成を例として示したが、少なくとも、電線当接部が設けられていれば、上側ガイド部及び下側ガイド部を設けていなくても供回りを防止することが可能である。したがって、電線当接部のみが設けられた構成や、電線当接部に対して、上側ガイド部及び下側ガイド部の何れか一方のみが設けられた構成であっても構わない。
【００５５】
また、本実施の形態では、フック部１０の切欠き１１の開口付近の下側ガイド部１０ｃにロック部１２が設けられた構成を例として示したが、上側ガイド部１０ｂに設けられていても良い。
【００５６】
また、本実施の形態では、遠隔操作棒２の軸回転操作に対してカッター部８の柄部８ｅの一方を昇降動作させるために、ネジ軸４とナット体６とからなる送りねじ機構を採用したが、これに限らず、回転運動を直線運動に変換できる構造であれば、同様の効果を得ることが可能である。例えば、口紅の押出し機構のように、捩じり動作を昇降動作に変換する機構であっても構わない。
【００５７】
また、本実施の形態では、上側ガイド部１０ｂは、上方に凸となるように湾曲形成された構成を例として示したが、少なくとも、電線３０の長手方向からの側面視において、上刃８ａと上側ガイド部１０ｂの縁とが連続するように形成されていれば、スムーズに電線３０を刃部へ導き、収めることができるので、直線状に形成されていても構わない。
【００５８】
（第２の実施の形態）
次に、本発明の第２の実施の形態に係る遠隔操作用カッターについて、図６を用いて説明を行う。
【００５９】
図６は、本実施の形態における遠隔操作用カッター５１の全体斜視図を示している。この遠隔操作用カッター５１は、ネジ軸５４とナット体５６ａ、５６ｂとからなる送りねじ機構の構成部分において第１の実施の形態とは異なっており、これ以外の部分については、図１の遠隔操作用カッター１と略同じ構成となっている。ここでは、第１の実施の形態と同一部材については同一符号を付し、主に異なる部分について説明を行う。
【００６０】
図６から分かるように、ネジ軸５４は上側のネジ溝５４ａと下側のネジ溝５４ｂとが互いに逆方向の関係となるように形成されている。そして、これらネジ溝５４ａ、５４ｂのそれぞれには、ナット体５６ａ、５６ｂが昇降可能に螺合されている。さらに、これらナット体５６ａ、５６ｂには、カッター部５８の一対の柄部５８ａ、５８ｂが回動可能に連結されている。
【００６１】
このような構成により、遠隔操作棒２を軸回転操作すると、上下のナット体５６ａ、５６ｂが互いに遠近動するので、カッター部５８が開閉する。ここで、本実施の形態では、遠隔操作棒２の軸回転により一対の柄部５８ａ、５８ｂの両方が相対的に遠近動するので、第１の実施の形態のように、一方側のみが昇降する場合に比べて、半分の回転数でカッター部５８の開閉を行い、電線３０を切断することができ、作業効率を向上させることが可能となる。
【００６２】
（第３の実施の形態）
次に、本発明の第３の実施の形態に係る遠隔操作用カッターについて、図７を用いて説明する。
【００６３】
図７には、ロック部９２の周辺が拡大して示されている。本実施の形態における遠隔操作用カッター７１では、第１の実施の形態において図１に示した遠隔操作用カッター１と比べて、上側ガイド部８０ｂ、下側ガイド部８０ｃ及びロック部９２の形状及び構成が異なっている。ここでは、これら異なる部分を中心に説明を行い、上記の各実施の形態において説明した構成と同一の部分については同一符号を付して示す。
【００６４】
図７を参照して、ロック部９２の内部構造は点線で示されている。このロック部９２は板材が平面視で断面コ字状に曲げ加工されている。そして、上端が内側へ折り返されて、板バネ９２ａ（第１の弾性部材）が形成されている。この板バネ９２ａは、下端が下側ガ
イド部８０ｃの外側へ当接するように配置されている。このように、本実施の形態では、ロック部９２の板バネ９２ａを受けるために、下側ガイド部８０ｃの迫り出し側（先端側）は下方に突出し、バネ受け部８０ｆが形成されている。これにより、ロック部９２が迫り出し側、すなわち、矢印９５の方向へ揺動する際、下側ガイド部８０ｃに当接する板バネ９２ａの弾性反発力によりロック部９２には、電線収容域９１側へ戻す向きの回転力が生じる。
【００６５】
また、ロック部９２には、板バネ９２ａとは別にコイルバネ９２ｂ（第２の弾性部材）も設けられている。このコイルバネ９２ｂは、一端が下側ガイド部８０ｃの上面に引っ掛けられ、他端はロック部９２内部の板バネ９２ａの内面に当接された状態となっている。これにより、矢印９６の方向に向かって電線収容域９１側へロック部９２を押し倒そうとした際、外方向きの弾性反発力が生じる。
【００６６】
ここで、上記板バネ９２ａとコイルバネ９２ｂとから生じる弾性反発力は、板バネ９２ａの方が大きくなるように設定されている。しかし、図に示したような、外力が加わらない解放状態においては、ロック部９２は電線収容域９１の開口側を遮る位置で安定している。
【００６７】
このような構成の下、電線３０が電線収容域９１から出入りする際の動作について、図８を用いて説明する。
【００６８】
図８は、図７のロック部９２の周辺について側面方向から見た状態を示しており、（ａ）は電線３０が電線収容域９１の内側へ押し込まれるときの様子を示し、（ｂ）は電線収容域９１の内側から外側へ出て行くときの様子が示されている。また、ロック部９２の内側の状態がわかるように、手前側を一部切り欠いた部分断面図として示している。
【００６９】
図８（ａ）にて明らかなように、板バネ９２ａは、ロック部９２の電線収容域９１の内側への回動に対しては、下側ガイド部８０ｃに干渉しないように略Ｗ字型に曲げ加工されている。このため、電線３０が電線収容域９１内に導入される際には、反発力の弱い方のコイルバネ９２ｂの力に抗する力を加えればよく、容易にロック部９２を内側へ傾けることが可能であり、スムーズに電線３０を収容することができる。
【００７０】
一方、図８（ｂ）では、逆に、収容されていた電線３０が電線収容域９１の外側へ出て行くときの様子が示されており、電線３０からの押圧によりロック部９２が外方へ傾いている。しかし、図８（ａ）の場合とは異なり、このとき、コイルバネ９２ｂよりも強度の大きい板バネ９２ａからの反発力が生じている。
【００７１】
したがって、電線収容域９１の内側への電線３０の移動のように容易には通過できず、電線３０はロック部９２からかなりの抵抗力を受ける。上記第１の実施の形態にて説明したように、ロック部９２が設けられていることにより、遠隔操作棒（図示せず）によりカッター部８８（図７を参照）を閉じる際、遠隔操作用カッター７１全体に供回りが生じる状態となっても、ロック部９２の内側に電線３０が当接し、この供回りが阻止される。すなわち、通常の使用においては、一旦電線収容域９１内に収められた電線３０を外側へ出す必要はなく、ロック部９２が外方側へ傾くことは好ましくない。しかし、電線３０を電線収容域９１内にセットした状態で、切断位置を変更したい場合がある。この場合、ロック部９２が外方側へ全く回動し得ないように構成されていると、電線３０を電線収容域９１内に収容したまま電線３０上を滑らせて切断位置を変える必要がある。
【００７２】
また、ロック部９２にロック解除機構を別途設けて遠隔操作により解除することができる構成が考えられるが、このためには、新たな機構追加のためにコストが上がると共に、
重量も増大し、遠隔操作において不利となる。
【００７３】
ところが、上述のように、本実施の形態におけるロック部９２は、供回りを防止するには十分な抵抗を生じさせることができると共に、切断位置を変更したいような場合には、切断時よりも大きな力が電線３０とロック部９２との間に生ずるように、遠隔操作用カッター７１を傾けたり遠隔操作棒を逆向きに軸回転させるなどして電線３０を解放することが可能となる。これにより作業の修正も容易に行うことができるので、ロック部９２の構成は簡易なものでありながらも、全体の作業効率を大幅に向上させることが可能となる。
【００７４】
この板バネ９２ａの反発力やロック部９２の回動域は、板バネ９２ａの太さ（幅）や形状によっても調節することが可能であり、また、板バネ９２ａの下方側が当接する下側ガイド部８０ｃのバネ受け部８０ｆの位置や形状を変えることによっても調節することができる。
【００７５】
さらに、本実施の形態における遠隔操作用カッター７１では、ロック部９２が外方側へ回動し、電線３０が電線収容域９１から離脱する際、上側ガイド部８０ｂとの干渉を低減するために、ロック部９２の回動中心から略等距離となるように湾曲部８０ｅが形成されている。これにより、通常の切断の際に反力として生ずる以上の押圧力が電線３０からロック部９２へ加わった場合には、ロック部９２の外方側への比較的小さな回動により、ロック部９２の先端と上側ガイド部８０ｂとの間隔が広がり、スムーズに電線３０を外方へ導き出すことが可能となる。
【００７６】
以上述べてきたように、上記第１及び第２の実施の形態では、電線収容域（切欠き）内に収容した電線の外方への離脱を防止し、遠隔操作用カッターの供回りを防止するために、下側ガイド部にロック部を揺動可能に設けた構成を例として示した。そして、このロック部は、切欠きの内側方向へのみ揺動が可能とするとともに、外側には付勢が与えられるように取り付けられていた。しかし、このような構成に限らず、少なくとも、遠隔操作棒を軸回転させる際にロック機構が働くような構成であれば良い。
【００７７】
具体的には、遠隔操作棒を軸回転させる前において、切欠きの内側及び外側の何れにも揺動可能となるようにしておき、切断開始のために遠隔操作棒を軸回転させると同時に、この回転と連動させてロック機構を働かせるといった構成を採用しても良い。このように構成すると、電線に対する設置位置をスムーズに変更させることができ、切断作業を行う際にはロック作用により回り止めの効果を得ることが可能である。また、別部材、別装備を用いることなくロック状態と解除状態とを切り替えることができるので、遠隔操作に対して有利である。
【００７８】
また、上記第２の実施の形態では、２つのナット体５６ａ、５６ｂが上下方向に相対的に遠近動する構成を例と示し、また、第１の実施の形態では、ネジ軸の上側のみにナット体を設けた構成を例として示したが、これらに限らず、上側の柄部を揺動可能に固定し、下側の柄部を、ネジ軸に対して螺進退可能に設けられるナット体に連結する構成であっても構わない。２つのナット体が相対的に遠近動を行う構成では、少ない回転数でカッター部を大きく開閉させることができ、一方、一つのナット体を昇降させて、一方側の柄部のみを開閉させる構成では、摺動摩擦を半分に低減させることができるので、小さい力で容易に操作することが可能となる。
【００７９】
さらに、第３の実施の形態においては、ロック部９２の内方側への回動に対する弾性抵抗を生じさせるためにコイルバネ９２ｂを用い、逆に外方側への回動に対しては板バネ９２ａを用いた。しかし、これに限らず、外方側への回動抵抗の方を大きく設定できる構成であれば、例えばゴムなどの弾性部材を用いても構わない。また、板バネ９２ａを採用し
ない場合は、下側ガイド部８０ｃに当接部としてのバネ受け部８０ｆを形成しておく必要もない。
【００８０】
また、第３の実施の形態に示した構成では、上側ガイド部８０ｂに湾曲部８０ｅを形成せずとも、電線３０が通過可能に退避できるように板バネ９２ａのバネ力を設定しておけば、同様に、切断位置を修正することは可能である。
【符号の説明】
【００８１】
１、５１、７１   遠隔操作用カッター
２   遠隔操作棒
３   接続部
４、５４   ネジ軸（軸体）
６、５６ａ、５６ｂ   ナット体（連結体）
７   連結部（連結体）
８、５８   カッター部
８ａ   上刃
８ｂ   下刃
８ｃ   上刃側半体
８ｄ   下刃側半体
８ｅ、８ｆ、５８ａ、５８ｂ   柄部
８ｆ   柄部
８ｇ   交差部
１０   フック部
１０ａ   電線当接部
１０ｂ、８０ｂ   上側ガイド部
１０ｃ、８０ｃ   下側ガイド部
１０ｄ   電線退避部
１１、９１   切欠き（電線収容域）
１２、９２   ロック部（遮障部）
３０   電線
３２   長手方向
３４   迫り出し方向
【図１】
0005801739.tif 000002
【図２】
0005801739.tif 000003
【図３】
0005801739.tif 000004
【図４】
0005801739.tif 000005
【図５】
0005801739.tif 000006
【図６】
0005801739.tif 000007
【図７】
0005801739.tif 000008
【図８】
0005801739.tif 000009
【図９】
0005801739.tif 000010